(57)【要約】【課題】管理者に閲覧されずにユーザが自分の個人情報を簡単にバックアップ／リストアすることが可能なバックアップリストアシステム、バックアップリストア方法、バックアップシステム、バックアップ方法、リストアシステム、及びリストア方法を提供する。【解決手段】まず、バックアップ元デバイスからユーザ端末に、当該ユーザの設定情報、及びリストア先のデバイスのアドレスを暗号化して送信し、ユーザ端末で設定情報をバックアップする。そして、ユーザ端末は、リストア先のデバイスにバックアップされた設定情報を送信し、リストア先デバイスは、ユーザ端末から受信した設定情報に基づいてリストアを行う。  【選択図】  図２
2007086997.tif 000002
【特許請求の範囲】
【請求項１】
バックアップする設定情報が設定されているバックアップ元デバイスと、
前記設定情報をバックアップするユーザ端末と、
前記設定情報を反映させてリストアするリストア先デバイスと
を備え、
前記バックアップ元デバイスは、
前記設定情報のバックアップ指示、及び前記リストア先デバイスのアドレスを含んだバックアップ命令を受け付けるバックアップ命令受付手段と、
前記リストア先デバイスのアドレス、及び各ユーザの前記設定情報を該ユーザの前記ユーザ端末に送信する設定情報送信手段と
を具備し、
前記ユーザ端末は、
前記設定情報をバックアップするバックアップ手段と、
前記設定情報を前記リストア先デバイスに送信するリストア命令送信手段と
を具備し、
前記リストア先デバイスは、
前記ユーザ端末から送信された前記設定情報に基づいてリストアを行うリストア手段を具備する
ことを特徴とするバックアップリストアシステム。
【請求項２】
前記バックアップ元デバイスは、少なくとも前記設定情報を暗号化する暗号化手段をさらに具備し、
前記ユーザ端末は、暗号化された情報を復元する復元手段をさらに具備する
ことを特徴とする請求項１記載のバックアップリストアシステム。
【請求項３】
前記リストア先デバイスのアドレスは、メールアドレスであり、
前記リストア手段は、メール受信した前記設定情報に基づいてリストアを行う
ことを特徴とする請求項１又は２記載のバックアップリストアシステム。
【請求項４】
前記リストア先デバイスのアドレスは、ＵＲＩのアドレスであり、
前記リストア命令送信手段は、前記設定情報を前記ＵＲＩのアドレスに送信してアップデートし、
前記リストア手段は、前記ＵＲＩのアドレスにアップデートされた前記設定情報に基づいてリストアを行う
ことを特徴とする請求項１又は２記載のバックアップリストアシステム。
【請求項５】
バックアップする設定情報が設定されているバックアップ元デバイスと、
前記設定情報をバックアップするユーザ端末と、
前記設定情報を反映させてリストアするリストア先デバイスと
を備え、
前記バックアップ元デバイスは、
前記設定情報のバックアップ指示、及び前記リストア先デバイスのアドレスを含んだバックアップ命令を受け付けるバックアップ命令受付手段と、
前記設定情報をバックアップするバックアップ手段と、
前記リストア先デバイスのアドレス、及び前記設定情報をバックアップした旨を前記設定情報の各ユーザの前記ユーザ端末に通知するバクアップ通知手段と
を具備し、
前記ユーザ端末は、
前記バックアップ元デバイスのアドレス、及びユーザ名を前記リストア先デバイスに送信するリストア命令送信手段を具備し、
前記リストア先デバイスは、
前記バックアップ元デバイスから前記ユーザ名に関連付けられた前記設定情報を取得する設定情報取得手段と、
前記設定情報取得手段で取得した前記設定情報に基づいてリストアを行うリストア手段と
を具備する
ことを特徴とするバックアップリストアシステム。
【請求項６】
前記リストア手段は、前記設定条件の反映が制限されている領域でのリストアを可能とする管理者権限を取得する管理者権限取得手段をさらに具備する
ことを特徴とする請求項５記載のバックアップリストアシステム。
【請求項７】
前記リストア先デバイスのアドレスは、メールアドレスであり、
前記リストア命令送信手段は、前記バックアップ元デバイスのアドレス、及び前記ユーザ名を含んだメールを前記メールアドレスに送信する
ことを特徴とする請求項５又は６記載のバックアップリストアシステム。
【請求項８】
前記リストア先デバイスのアドレスは、ＵＲＩのアドレスであり、
前記リストア命令送信手段は、前記バックアップ元デバイスのアドレス、及び前記ユーザ名を前記ＵＲＩのアドレスに送信してアップデートし、
前記設定情報取得手段は、前記ＵＲＩのアドレスにアップデートされた前記バックアップ元デバイスのアドレス、及び前記ユーザ名に基づいて、前記バックアップ元デバイスから前記ユーザ名に関連付けられた前記設定情報を取得する
ことを特徴とする請求項５又は６記載のバックアップリストアシステム。
【請求項９】
バックアップする設定情報が設定されているバックアップ元デバイスと、
前記設定情報をバックアップするユーザ端末と、
前記設定情報を反映させてリストアするリストア先デバイスと
を備え、
前記バックアップ元デバイスは、設定情報のバックアップ指示、及びリストア先デバイスのアドレスを含んだバックアップ命令をバックアップ命令受付手段で受け付けると、
前記リストア先デバイスのアドレス、及び各ユーザの前記設定情報を該ユーザの前記ユーザ端末に設定情報送信手段で送信し、
前記リストア先デバイスのアドレス、及び各ユーザの前記設定情報を受信した前記ユーザ端末は、前記設定情報をバックアップ手段でバックアップし、
前記設定情報を前記リストア先デバイスにリストア命令送信手段で送信し、
前記設定情報を受信した前記リストア先デバイスは、前記ユーザ端末から送信された前記設定情報に基づいてリストア手段でリストアを行う
ことを特徴とするバックアップリストア方法。
【請求項１０】
前記バックアップ元デバイスは、少なくとも前記設定情報を暗号化手段で暗号化し、
前記ユーザ端末は、暗号化された情報を復元手段で復元する
ことを特徴とする請求項９記載のバックアップリストア方法。
【請求項１１】
前記リストア先デバイスのアドレスは、メールアドレスであり、
前記リストア手段は、メール受信した前記設定情報に基づいてリストアを行う
ことを特徴とする請求項１０又は１１記載のバックアップリストア方法。
【請求項１２】
前記リストア先デバイスのアドレスは、ＵＲＩのアドレスであり、
前記リストア命令送信手段は、前記設定情報を前記ＵＲＩのアドレスに送信してアップデートし、
前記リストア手段は、前記ＵＲＩのアドレスにアップデートされた前記設定情報に基づいてリストアを行う
ことを特徴とする請求項１０又は１１記載のバックアップリストア方法。
【請求項１３】
バックアップする設定情報が設定されているバックアップ元デバイスと、
前記設定情報をバックアップするユーザ端末と、
前記設定情報を反映させてリストアするリストア先デバイスと
を備え、
前記バックアップ元デバイスは、前記設定情報のバックアップ指示、及び前記リストア先デバイスのアドレスを含んだバックアップ命令をバックアップ命令受付手段で受け付けると、前記設定情報をバックアップ手段でバックアップし、
前記リストア先デバイスのアドレス、及び前記設定情報をバックアップした旨を前記設定情報の各ユーザの前記ユーザ端末にバクアップ通知手段で通知し、
前記リストア先デバイスのアドレス、及び前記設定情報をバックアップした旨が通知された前記ユーザ端末は、前記バックアップ元デバイスのアドレス、及びユーザ名をリストア命令送信手段で前記リストア先デバイスに送信し、
前記バックアップ元デバイスのアドレス、及びユーザ名を受信した前記リストア先デバイスは、前記バックアップ元デバイスから前記ユーザ名に関連付けられた前記設定情報を設定情報取得手段で取得し、
前記設定情報取得手段で取得した前記設定情報に基づいてリストア手段でリストアを行う
ことを特徴とするバックアップリストア方法。
【請求項１４】
前記リストア手段は、前記設定条件の反映が制限されている領域でのリストアを可能とする管理者権限を管理者権限取得手段で取得する
ことを特徴とする請求項１３記載のバックアップリストア方法。
【請求項１５】
前記リストア先デバイスのアドレスは、メールアドレスであり、
前記リストア命令送信手段は、前記バックアップ元デバイスのアドレス、及び前記ユーザ名を含んだメールを前記メールアドレスに送信する
ことを特徴とする請求項１３又は１４記載のバックアップリストア方法。
【請求項１６】
前記リストア先デバイスのアドレスは、ＵＲＩのアドレスであり、
前記リストア命令送信手段は、前記バックアップ元デバイスのアドレス、及び前記ユーザ名を前記ＵＲＩのアドレスに送信してアップデートし、
前記設定情報取得手段は、前記ＵＲＩのアドレスにアップデートされた前記バックアップ元デバイスのアドレス、及び前記ユーザ名に基づいて、前記バックアップ元デバイスから前記ユーザ名に関連付けられた前記設定情報を取得する
ことを特徴とする請求項１３又は１４記載のバックアップリストア方法。
【請求項１７】
バックアップする設定情報が設定されているバックアップ元デバイスと、
前記設定情報をバックアップするユーザ端末と
を備え、
前記バックアップ元デバイスは、
前記設定情報のバックアップ指示、及び前記設定情報を反映させてリストアするリストア先デバイスのアドレスを含んだバックアップ命令を受け付けるバックアップ命令受付手段と、
前記リストア先デバイスのアドレス、及び各ユーザの前記設定情報を該ユーザの前記ユーザ端末に送信する設定情報送信手段と
を具備し、
前記ユーザ端末は、
前記設定情報をバックアップするバックアップ手段と、
前記設定情報を前記リストア先デバイスに送信するリストア命令送信手段と
を具備する
ことを特徴とするバックアップシステム。
【請求項１８】
前記バックアップ元デバイスは、少なくとも前記設定情報を暗号化する暗号化手段をさらに具備し、
前記ユーザ端末は、暗号化された情報を復元する復元手段をさらに具備する
ことを特徴とする請求項１７記載のバックアップシステム。
【請求項１９】
バックアップする設定情報が設定されているバックアップ元デバイスと、
前記設定情報をバックアップするユーザ端末と
を備え、
前記バックアップ元デバイスは、
前記設定情報のバックアップ指示、及び前記設定情報を反映させてリストアするリストア先デバイスのアドレスを含んだバックアップ命令を受け付けるバックアップ命令受付手段と、
前記設定情報をバックアップするバックアップ手段と、
前記リストア先デバイスのアドレス、及び前記設定情報をバックアップした旨を前記設定情報の各ユーザの前記ユーザ端末に通知するバクアップ通知手段と
を具備し、
前記ユーザ端末は、
前記バックアップ元デバイスのアドレス、及びユーザ名を前記リストア先デバイスに送信するリストア命令送信手段を具備する
ことを特徴とするバックアップシステム。
【請求項２０】
バックアップする設定情報が設定されているバックアップ元デバイスと、
前記設定情報をバックアップするユーザ端末と
を備え、
前記バックアップ元デバイスは、前記設定情報のバックアップ指示、及び前記設定情報を反映させてリストアするリストア先デバイスのアドレスを含んだバックアップ命令をバックアップ命令受付手段で受け付けると、前記リストア先デバイスのアドレス、及び各ユーザの前記設定情報を該ユーザの前記ユーザ端末に設定情報送信手段で送信し、
前記リストア先デバイスのアドレス、及び各ユーザの前記設定情報を受信した前記ユーザ端末は、前記設定情報をバックアップ手段でバックアップし、
前記設定情報を前記リストア先デバイスにリストア命令送信手段で送信する
ことを特徴とするバックアップ方法。
【請求項２１】
前記バックアップ元デバイスは、少なくとも前記設定情報を暗号化手段で暗号化し、
前記ユーザ端末は、暗号化された情報を復元手段で復元する
ことを特徴とする請求項２０記載のバックアップ方法。
【請求項２２】
バックアップする設定情報が設定されているバックアップ元デバイスと、
前記設定情報をバックアップするユーザ端末と
を備え、
前記バックアップ元デバイスは、前記設定情報のバックアップ指示、及び前記設定情報を反映させてリストアするリストア先デバイスのアドレスを含んだバックアップ命令をバックアップ命令受付手段で受け付けると、
前記設定情報をバックアップ手段でバックアップし、
前記リストア先デバイスのアドレス、及び前記設定情報をバックアップした旨を前記設定情報の各ユーザの前記ユーザ端末にバクアップ通知手段で通知し、
前記リストア先デバイスのアドレス、及び前記設定情報をバックアップした旨が通知された前記ユーザ端末は、前記バックアップ元デバイスのアドレス、及びユーザ名を前記リストア先デバイスにリストア命令送信手段で送信する
ことを特徴とするバックアップ方法。
【請求項２３】
バックアップする設定情報が設定されているバックアップ元デバイスと、
前記設定情報をバックアップするユーザ端末と、
前記設定情報を反映させてリストアするリストア先デバイスと
を備え、
前記ユーザ端末は、
前記リストア先デバイスのＵＲＩのアドレスに前記バックアップ元デバイスのアドレス、及び前記ユーザ名を送信してアップデートするリストア命令送信手段を具備し、
前記リストア先デバイスは、
前記ＵＲＩのアドレスにアップデートされた前記バックアップ元デバイスのアドレス、及び前記ユーザ名に基づいて、前記バックアップ元デバイスから前記ユーザ名に関連付けられた前記設定情報を取得する設定情報取得手段と、
前記設定情報取得手段で取得した前記設定情報に基づいてリストアを行うリストア手段と
を具備する
ことを特徴とするリストアシステム。
【請求項２４】
バックアップする設定情報が設定されているバックアップ元デバイスと、
前記設定情報をバックアップするユーザ端末と、
前記設定情報を反映させてリストアするリストア先デバイスと
を備え、
前記ユーザ端末は、前記リストア先デバイスのＵＲＩのアドレスに前記バックアップ元デバイスのアドレス、及び前記ユーザ名をリストア命令送信手段で送信してアップデートし、
前記リストア先デバイスは、
前記ＵＲＩのアドレスにアップデートされた前記バックアップ元デバイスのアドレス、及び前記ユーザ名に基づいて、前記バックアップ元デバイスから前記ユーザ名に関連付けられた前記設定情報を設定情報取得手段で取得し、
前記設定情報取得手段で取得した前記設定情報に基づいてリストア手段でリストアを行う
ことを特徴とするリストア方法。
【発明の詳細な説明】
【技術分野】
【０００１】
本発明は、バックアップリストアシステム、バックアップリストア方法、バックアップシステム、バックアップ方法、リストアシステム、及びリストア方法に関し、特に、個人情報をバックアップ・リストアするバックアップリストアシステム、バックアップリストア方法、バックアップシステム、バックアップ方法、リストアシステム、及びリストア方法に関する。
【背景技術】
【０００２】
ファックスや複合機などのデバイスが高機能化するに伴い、ネットワークに接続するこのようなデバイス（ネットワーク機器）に個人情報（親展ボックス、メール・ファクスアドレス、パスワード、機密ファイルなど）を登録することが多くなっている。
【０００３】
また、これらの情報は、デバイスの故障やリプレースなどに備え、バックアップ／リストアをする必要がある（例えば、特許文献１参照）。
【特許文献１】特開２００５−２０２９１８号公報
【発明の開示】
【発明が解決しようとする課題】
【０００４】
しかし、ネットワークの管理者などが一括して個人情報をバックアップ／リストアすることが多く、バックアップ時に個人情報を管理者が閲覧する危険性がある。
【０００５】
例えば、ユーザのパスワードを例に挙げると、バックアップ／リストアしなければ、現状復帰に支障をきたし、平文でバックアップすれば管理者に閲覧されてしまう恐れがある。仮に、Ｂａｓｅ６４等でエンコードしたとしても、デコード方法がわかってしまえば、管理者がパスワードを閲覧することは可能となる。
【０００６】
そこで、本発明では、管理者に閲覧されずにユーザが自分の個人情報を簡単にバックアップ／リストアすることが可能なバックアップリストアシステム、バックアップリストア方法、バックアップシステム、バックアップ方法、リストアシステム、及びリストア方法を提供することを目的とする。
【課題を解決するための手段】
【０００７】
本発明におけるバックアップリストアシステムは、バックアップする設定情報が設定されているバックアップ元デバイスと、前記設定情報をバックアップするユーザ端末と、前記設定情報を反映させてリストアするリストア先デバイスとを備え、前記バックアップ元デバイスは、前記設定情報のバックアップ指示、及び前記リストア先デバイスのアドレスを含んだバックアップ命令を受け付けるバックアップ命令受付手段と、前記リストア先デバイスのアドレス、及び各ユーザの前記設定情報を該ユーザの前記ユーザ端末に送信する設定情報送信手段とを具備し、前記ユーザ端末は、前記設定情報をバックアップするバックアップ手段と、前記設定情報を前記リストア先デバイスに送信するリストア命令送信手段とを具備し、前記リストア先デバイスは、前記ユーザ端末から送信された前記設定情報に基づいてリストアを行うリストア手段を具備することを特徴とする。
【０００８】
望ましくは、前記バックアップ元デバイスは、少なくとも前記設定情報を暗号化する暗号化手段をさらに具備し、前記ユーザ端末は、暗号化された情報を復元する復元手段をさらに具備する。
【０００９】
また、望ましくは、前記リストア先デバイスのアドレスは、メールアドレスであり、前記リストア手段は、メール受信した前記設定情報に基づいてリストアを行う。
【００１０】
また、望ましくは、前記リストア先デバイスのアドレスは、ＵＲＩのアドレスであり、前記リストア命令送信手段は、前記設定情報を前記ＵＲＩのアドレスに送信してアップデートし、前記リストア手段は、前記ＵＲＩのアドレスにアップデートされた前記設定情報に基づいてリストアを行う。
【００１１】
また、本発明におけるバックアップリストアシステムは、バックアップする設定情報が設定されているバックアップ元デバイスと、前記設定情報をバックアップするユーザ端末と、前記設定情報を反映させてリストアするリストア先デバイスとを備え、前記バックアップ元デバイスは、前記設定情報のバックアップ指示、及び前記リストア先デバイスのアドレスを含んだバックアップ命令を受け付けるバックアップ命令受付手段と、前記設定情報をバックアップするバックアップ手段と、前記リストア先デバイスのアドレス、及び前記設定情報をバックアップした旨を前記設定情報の各ユーザの前記ユーザ端末に通知するバクアップ通知手段とを具備し、前記ユーザ端末は、前記バックアップ元デバイスのアドレス、及びユーザ名を前記リストア先デバイスに送信するリストア命令送信手段を具備し、前記リストア先デバイスは、前記バックアップ元デバイスから前記ユーザ名に関連付けられた前記設定情報を取得する設定情報取得手段と、前記設定情報取得手段で取得した前記設定情報に基づいてリストアを行うリストア手段とを具備することを特徴とする。
【００１２】
望ましくは、前記リストア手段は、前記設定条件の反映が制限されている領域でのリストアを可能とする管理者権限を取得する管理者権限取得手段をさらに具備する。
【００１３】
また、望ましくは、前記リストア先デバイスのアドレスは、メールアドレスであり、前記リストア命令送信手段は、前記バックアップ元デバイスのアドレス、及び前記ユーザ名を含んだメールを前記メールアドレスに送信する。
【００１４】
また、望ましくは、前記リストア先デバイスのアドレスは、ＵＲＩのアドレスであり、前記リストア命令送信手段は、前記バックアップ元デバイスのアドレス、及び前記ユーザ名を前記ＵＲＩのアドレスに送信してアップデートし、前記設定情報取得手段は、前記ＵＲＩのアドレスにアップデートされた前記バックアップ元デバイスのアドレス、及び前記ユーザ名に基づいて、前記バックアップ元デバイスから前記ユーザ名に関連付けられた前記設定情報を取得する。
【００１５】
次に、本発明におけるバックアップリストア方法は、バックアップする設定情報が設定されているバックアップ元デバイスと、前記設定情報をバックアップするユーザ端末と、前記設定情報を反映させてリストアするリストア先デバイスとを備え、前記バックアップ元デバイスは、設定情報のバックアップ指示、及びリストア先デバイスのアドレスを含んだバックアップ命令をバックアップ命令受付手段で受け付けると、前記リストア先デバイスのアドレス、及び各ユーザの前記設定情報を該ユーザの前記ユーザ端末に設定情報送信手段で送信し、前記リストア先デバイスのアドレス、及び各ユーザの前記設定情報を受信した前記ユーザ端末は、前記設定情報をバックアップ手段でバックアップし、前記設定情報を前記リストア先デバイスにリストア命令送信手段で送信し、前記設定情報を受信した前記リストア先デバイスは、前記ユーザ端末から送信された前記設定情報に基づいてリストア手段でリストアを行うことを特徴とする。
【００１６】
望ましくは、前記バックアップ元デバイスは、少なくとも前記設定情報を暗号化手段で暗号化し、前記ユーザ端末は、暗号化された情報を復元手段で復元する。
【００１７】
また、望ましくは、前記リストア先デバイスのアドレスは、メールアドレスであり、前記リストア手段は、メール受信した前記設定情報に基づいてリストアを行う。
【００１８】
ことを特徴とする請求項１０又は１１記載のバックアップリストア方法。
【００１９】
また、望ましくは、前記リストア先デバイスのアドレスは、ＵＲＩのアドレスであり、前記リストア命令送信手段は、前記設定情報を前記ＵＲＩのアドレスに送信してアップデートし、前記リストア手段は、前記ＵＲＩのアドレスにアップデートされた前記設定情報に基づいてリストアを行う。
【００２０】
また、本発明におけるバックアップリストア方法は、バックアップする設定情報が設定されているバックアップ元デバイスと、前記設定情報をバックアップするユーザ端末と、前記設定情報を反映させてリストアするリストア先デバイスとを備え、前記バックアップ元デバイスは、前記設定情報のバックアップ指示、及び前記リストア先デバイスのアドレスを含んだバックアップ命令をバックアップ命令受付手段で受け付けると、前記設定情報をバックアップ手段でバックアップし、前記リストア先デバイスのアドレス、及び前記設定情報をバックアップした旨を前記設定情報の各ユーザの前記ユーザ端末にバクアップ通知手段で通知し、前記リストア先デバイスのアドレス、及び前記設定情報をバックアップした旨が通知された前記ユーザ端末は、前記バックアップ元デバイスのアドレス、及びユーザ名をリストア命令送信手段で前記リストア先デバイスに送信し、前記バックアップ元デバイスのアドレス、及びユーザ名を受信した前記リストア先デバイスは、前記バックアップ元デバイスから前記ユーザ名に関連付けられた前記設定情報を設定情報取得手段で取得し、前記設定情報取得手段で取得した前記設定情報に基づいてリストア手段でリストアを行うことを特徴とする。
【００２１】
望ましくは、前記リストア手段は、前記設定条件の反映が制限されている領域でのリストアを可能とする管理者権限を管理者権限取得手段で取得する。
【００２２】
また、望ましくは、前記リストア先デバイスのアドレスは、メールアドレスであり、前記リストア命令送信手段は、前記バックアップ元デバイスのアドレス、及び前記ユーザ名を含んだメールを前記メールアドレスに送信する。
【００２３】
また、望ましくは、前記リストア先デバイスのアドレスは、ＵＲＩのアドレスであり、前記リストア命令送信手段は、前記バックアップ元デバイスのアドレス、及び前記ユーザ名を前記ＵＲＩのアドレスに送信してアップデートし、前記設定情報取得手段は、前記ＵＲＩのアドレスにアップデートされた前記バックアップ元デバイスのアドレス、及び前記ユーザ名に基づいて、前記バックアップ元デバイスから前記ユーザ名に関連付けられた前記設定情報を取得する。
【００２４】
本発明におけるバックアップシステムは、バックアップする設定情報が設定されているバックアップ元デバイスと、前記設定情報をバックアップするユーザ端末とを備え、前記バックアップ元デバイスは、前記設定情報のバックアップ指示、及び前記設定情報を反映させてリストアするリストア先デバイスのアドレスを含んだバックアップ命令を受け付けるバックアップ命令受付手段と、前記リストア先デバイスのアドレス、及び各ユーザの前記設定情報を該ユーザの前記ユーザ端末に送信する設定情報送信手段とを具備し、前記ユーザ端末は、前記設定情報をバックアップするバックアップ手段と、前記設定情報を前記リストア先デバイスに送信するリストア命令送信手段とを具備することを特徴とする。
【００２５】
望ましくは、前記バックアップ元デバイスは、少なくとも前記設定情報を暗号化する暗号化手段をさらに具備し、前記ユーザ端末は、暗号化された情報を復元する復元手段をさらに具備する。
【００２６】
また、本発明におけるバックアップシステムは、バックアップする設定情報が設定されているバックアップ元デバイスと、前記設定情報をバックアップするユーザ端末とを備え、前記バックアップ元デバイスは、前記設定情報のバックアップ指示、及び前記設定情報を反映させてリストアするリストア先デバイスのアドレスを含んだバックアップ命令を受け付けるバックアップ命令受付手段と、前記設定情報をバックアップするバックアップ手段と、前記リストア先デバイスのアドレス、及び前記設定情報をバックアップした旨を前記設定情報の各ユーザの前記ユーザ端末に通知するバクアップ通知手段とを具備し、前記ユーザ端末は、前記バックアップ元デバイスのアドレス、及びユーザ名を前記リストア先デバイスに送信するリストア命令送信手段を具備することを特徴とする。
【００２７】
本発明におけるバックアップ方法は、バックアップする設定情報が設定されているバックアップ元デバイスと、前記設定情報をバックアップするユーザ端末とを備え、前記バックアップ元デバイスは、前記設定情報のバックアップ指示、及び前記設定情報を反映させてリストアするリストア先デバイスのアドレスを含んだバックアップ命令をバックアップ命令受付手段で受け付けると、前記リストア先デバイスのアドレス、及び各ユーザの前記設定情報を該ユーザの前記ユーザ端末に設定情報送信手段で送信し、前記リストア先デバイスのアドレス、及び各ユーザの前記設定情報を受信した前記ユーザ端末は、前記設定情報をバックアップ手段でバックアップし、前記設定情報を前記リストア先デバイスにリストア命令送信手段で送信することを特徴とする。
【００２８】
望ましくは、前記バックアップ元デバイスは、少なくとも前記設定情報を暗号化手段で暗号化し、前記ユーザ端末は、暗号化された情報を復元手段で復元する。
【００２９】
また、本発明におけるバックアップ方法は、バックアップする設定情報が設定されているバックアップ元デバイスと、前記設定情報をバックアップするユーザ端末とを備え、前記バックアップ元デバイスは、前記設定情報のバックアップ指示、及び前記設定情報を反映させてリストアするリストア先デバイスのアドレスを含んだバックアップ命令をバックアップ命令受付手段で受け付けると、前記設定情報をバックアップ手段でバックアップし、前記リストア先デバイスのアドレス、及び前記設定情報をバックアップした旨を前記設定情報の各ユーザの前記ユーザ端末にバクアップ通知手段で通知し、前記リストア先デバイスのアドレス、及び前記設定情報をバックアップした旨が通知された前記ユーザ端末は、前記バックアップ元デバイスのアドレス、及びユーザ名を前記リストア先デバイスにリストア命令送信手段で送信することを特徴とする。
【００３０】
本発明におけるリストアシステムは、バックアップする設定情報が設定されているバックアップ元デバイスと、前記設定情報をバックアップするユーザ端末と、前記設定情報を反映させてリストアするリストア先デバイスとを備え、前記ユーザ端末は、前記リストア先デバイスのＵＲＩのアドレスに前記バックアップ元デバイスのアドレス、及び前記ユーザ名を送信してアップデートするリストア命令送信手段を具備し、前記リストア先デバイスは、前記ＵＲＩのアドレスにアップデートされた前記バックアップ元デバイスのアドレス、及び前記ユーザ名に基づいて、前記バックアップ元デバイスから前記ユーザ名に関連付けられた前記設定情報を取得する設定情報取得手段と、前記設定情報取得手段で取得した前記設定情報に基づいてリストアを行うリストア手段とを具備することを特徴とする。
【００３１】
本発明におけるリストア方法は、バックアップする設定情報が設定されているバックアップ元デバイスと、前記設定情報をバックアップするユーザ端末と、前記設定情報を反映させてリストアするリストア先デバイスとを備え、前記ユーザ端末は、前記リストア先デバイスのＵＲＩのアドレスに前記バックアップ元デバイスのアドレス、及び前記ユーザ名をリストア命令送信手段で送信してアップデートし、前記リストア先デバイスは、前記ＵＲＩのアドレスにアップデートされた前記バックアップ元デバイスのアドレス、及び前記ユーザ名に基づいて、前記バックアップ元デバイスから前記ユーザ名に関連付けられた前記設定情報を設定情報取得手段で取得し、前記設定情報取得手段で取得した前記設定情報に基づいてリストア手段でリストアを行うことを特徴とする。
【発明の効果】
【００３２】
本発明では、デバイスに設定した個人の設定情報を管理者に閲覧されることなく、バックアップ／リストアすることが可能となる。
【発明を実施するための最良の形態】
【００３３】
以下、本発明に係るバックアップリストアシステム、バックアップリストア方法、バックアップシステム、バックアップ方法、リストアシステム、及びリストア方法を実施するための最良の形態について、添付図面を参照して詳細に説明する。
【実施例１】
【００３４】
図１は、本発明に係るバックアップリストアシステムの構成の一例を示す概略概念図である。同図に示すように本発明に係るバックアップリストアシステムは、ＰＣ(Personal Computer)などの情報処理装置からなり、複合機などのデバイスを管理する管理者端末１０と、バックアップする設定情報が格納されているバックアップ元のデバイス２０と、各ユーザがそれぞれ利用する情報処理装置などのユーザ端末３０と、設定情報をリストアするリストア先のデバイス４０とがＬＡＮ(Local Area Network)などのネットワーク５０を介して接続している。
【００３５】
図２は、本実施例におけるバックアップリストアシステムの構成を示す機能ブロック図である。同図に示すように、管理者端末１０は、バックアップを指示するバックアップ命令部１１を具備して構成される。
【００３６】
そして、本実施例における管理者端末１０は、管理者などがキーボードなどを用いてバックアップを指示すると、バックアップの指示、及びリストア先のデバイスのメールアドレスを含んだバックアップ命令をバックアップ命令部１１で作成し、バックアップ元のデバイス２０に送信する。
【００３７】
なお、バックアップ命令部１１は、ソフトウェア等により実現される部分である。
【００３８】
バックアップ元のデバイス２０は、バックアップのための処理を行うバックアップ処理部２１と、設定情報を格納する設定情報データベース２２と具備して構成される。
【００３９】
ここで、設定情報データベース２２は、設定情報、各ユーザのユーザ端末に該ユーザの設定情報を送信する際に暗号化するための暗号化情報（例えば、Ｓ／ＭＩＭＥ(Secure Multipurpose Internet Mail Extensions)証明書など）、及び該ユーザ端末のアドレスを格納する。
【００４０】
そして、本実施例におけるバックアップ元のデバイス２０は、バックアップ命令を受信すると、バックアップ処理部２１で、少なくともバックアップ時に秘匿が必要な個人の設定情報を設定情報データベース２２から抽出し、当該設定情報が添付され、リストア先のデバイスのアドレスが記された暗号化メール（Ｓ／ＭＩＭＥメールなど）を各ユーザのユーザ端末に送信する。
【００４１】
バックアップ時に秘匿が必要な個人の設定情報としては、例えば、
・ユーザ認証パスワード、
・親展ボックスのパスワード、
・ジョブフロー記載内容（パスワードなど）、
・ボックス内文書、
などが挙げられるが、バックアップを行う設定情報は、これらに限られるものではく、ユーザ毎に管理する任意の情報を用いることができる。
【００４２】
なお、バックアップ処理部２１は、ソフトウェア等により実現される部分である。
【００４３】
ユーザ端末３０は、設定情報を格納してバックアップする設定情報バックアップ部３１と、リストアを指示するリストア命令部３２とを具備して構成される。
【００４４】
ここで、設定情報バックアップ部３１は、設定情報を格納すると共に、リストア先のデバイスのアドレスを設定情報毎に格納する。
【００４５】
そして、本実施例におけるユーザ端末３０は、暗号化メールを受信すると、当該暗号化メールを復元して、設定情報、及びリストア先のデバイスのアドレスを取得し、設定情報バックアップ部３１に格納してバックアップする。
【００４６】
また、リストアを行う際には、設定情報が添付されたメールをリストア命令部４２で作成し、リストア先のデバイス２０に送信する。
【００４７】
なお、リストア命令部３２は、ソフトウェア等により実現される部分である。
【００４８】
リストア先のデバイス４０は、リストアのための処理を行うリストア処理部４１と、設定情報を格納する設定情報データベース４２とを具備して構成されている。
【００４９】
そして、本実施例におけるリストア先のデバイス４０は、設定情報が添付されたメールを受信すると、リストア処理部４１で、メールに添付されている設定情報を設定情報データベース４２に格納し、当該設定情報をデバイスに反映させてリストアを行う。
【００５０】
なお、リストア処理部４１は、ソフトウェア等により実現される部分である。
【００５１】
上記構成を用いて本実施例におけるバックアップリストアシステムでは、まず、バックアップ命令を管理者端末からバックアップ元のデバイスに送信する。バックアップ元のデバイスは、各ユーザの設定情報をリストア先のデバイスのアドレスと共に該ユーザのユーザ端末に送信し、該ユーザ端末で設定情報を格納してバックアップする。
【００５２】
次に、設定情報を添付したメールをユーザ端末からリストア先のデバイスに送信し、リストア先のデバイスで設定情報を反映させることによって、設定情報をリストアする。
【００５３】
図３は、本実施例におけるバックアップリストアシステムの処理の流れを示すフローチャートである。
【００５４】
まず、管理者端末で設定情報のバックアップを指示するバックアップ命令を作成する（ステップ１００）と、バックアップ命令をバックアップ元のデバイスに送信する（ステップ１０１）。
【００５５】
次に、バックアップ元のデバイスは、設定情報データベースから設定情報を抽出し（ステップ１０２）、ユーザ毎に該ユーザの設定情報を添付したリストア先デバイスのメールアドレスを示す暗号メールをユーザ端末に送信する（ステップ１０３）。
【００５６】
ユーザ端末は、暗号メールを復元して添付されていた設定情報を取得し、当該設定情報を設定情報バックアップ部に格納することにより、設定情報をバックアップする（ステップ１０４）。
【００５７】
そして、設定情報のリストアに際して、ユーザ端末は、設定情報を添付したメール（リストア命令）をリストア先のデバイスに送信し（ステップ１０５）、リストア先のデバイスは、メールに添付されている設定情報を当該デバイスに反映させる（ステップ１０６）。
【００５８】
なお、本実施例では、管理者などの操作によって、バックアップのきっかけとなるバックアップ命令が管理者端末で作成されるが、例えば、バックアップ元のデバイスに設置されているコントロールパネルを管理者等が操作することにより、バックアップ元のデバイスなどでバックアップ命令が作成されるように構成してもよい。
【００５９】
また、本実施例では、バックアップ元とリストア先のデバイスが同時にネットワークに接続しているが、デバイスを入れ替える場合など、少なくともそれぞれのデバイスが関係する動作の時にネットワークに接続していればよい。
【００６０】
このように本発明では、管理者端末を介することなくユーザ端末でユーザの設定情報をバックアップすることができるため、デバイスに設定した個人の設定情報を管理者に閲覧されることなく、バックアップ／リストアすることが可能となる。
【００６１】
また、バックアップを開始するバックアップ命令を管理者端末で作成してバックアップ元のデバイスに送信するため、バックアップを行わなければならない管理者主導でバックアップのタイミングを任意に決めることができる。
【００６２】
さらに、リストアは、ユーザ端末からリストア先のデバイスに送信されることで開始されるため、各ユーザが必要に応じて自らの判断でリストアを実行することができる。
【００６３】
ところで、本実施例では、リストア先のデバイスのアドレスとして、メールアドレスを利用しているが、ＩＰアドレスなど、リストア先のデバイスを特定することが可能なアドレスであれば、任意のアドレスを利用することができる。
【００６４】
また、ＵＲＩ(Uniform Resource Identifier)をリストア先のデバイスのアドレスとして利用することも可能であり、以下、ＵＲＩを利用してアップロード／リストアを実施する際の処理について、実施例を用いて詳細に説明する。
【実施例２】
【００６５】
図４は、本実施例におけるバックアップリストアシステムの構成を示す機能ブロック図である。
【００６６】
同図に示すように、本実施例におけるバックアップリストアシステムは、リストア先のデバイス４０にＵＲＩのアドレスが割り当てられた設定情報格納部４３を設けた点を除いて、図２で示したバックアップリストアシステムと同様である。
【００６７】
なお、図２と共通な機能を果たす部分には、図２で使用した符号と同一の符号を付して、その詳細な説明を省略する。
【００６８】
そして、本実施例における管理者端末１０は、バックアップの指示、及びリストア先のデバイスのＵＲＩのアドレスを含んだバックアップ命令をバックアップ命令部１１で作成し、バックアップ元のデバイス２０に送信する。
【００６９】
バックアップ元のデバイス２０は、バックアップ命令を受信すると、バックアップ処理部２１で、少なくともバックアップ時に秘匿が必要な個人の設定情報を設定情報データベース２２から抽出し、当該設定情報が添付され、リストア先のデバイスのアドレスが記された暗号化メールを各ユーザのユーザ端末に送信する。
【００７０】
ユーザ端末３０は、暗号化メールを受信すると、当該暗号化メールを復元し、設定情報、及びリストア先のデバイスのアドレスを取得すると共に、設定情報バックアップ部３１に格納してバックアップする。
【００７１】
また、リストアを行う際には、ＵＲＩのアドレスに設定情報を送信してアップロードする。
【００７２】
リストア先のデバイス４０は、設定情報格納部４３に設定情報がアップロードされると、リストア処理部４１で、設定情報格納部４３にアップロードされた設定情報を設定情報データベース４２に格納し、設定情報を該デバイスに反映させてリストアを行う。
【００７３】
上記構成を用いて本実施例におけるバックアップリストアシステムでは、まず、バックアップ命令を管理者端末からバックアップ元のデバイスに送信する。
【００７４】
バックアップ元のデバイスは、各ユーザの設定情報をリストア先のデバイスのアドレスと共に該ユーザのユーザ端末に送信し、該ユーザ端末で設定情報を格納してバックアップする。
【００７５】
次に、ユーザ端末は、リストア先のデバイスのＵＲＩアドレスに設定情報を送信して設定情報をアップロードし、設定情報がアップロードされたリストア先のデバイスは、設定情報を反映させることによってリストアする。
【００７６】
図５は、本実施例におけるバックアップリストアシステムの処理の流れを示すフローチャートである。
【００７７】
まず、管理者端末で設定情報のバックアップを指示するバックアップ命令を作成する（ステップ２００）と、バックアップ命令をバックアップ元のデバイスに送信する（ステップ２０１）。
【００７８】
次に、バックアップ元のデバイスは、設定情報を設定情報データベースから抽出し（ステップ２０２）、ユーザ毎に当該ユーザの設定情報を添付したリストア先デバイスのＵＲＩアドレスを示す暗号メールをユーザ端末に送信する（ステップ２０３）。
【００７９】
ユーザ端末は、暗号メールを復元して添付されていた設定情報を取得し、当該設定情報を設定情報バックアップ部に格納することにより、設定情報をバックアップする（ステップ２０４）。
【００８０】
そして、設定情報のリストアに際して、ユーザ端末は、ＵＲＩのアドレスに設定情報を送信して設定情報をアップデートし（ステップ２０５）、リストア先のデバイスは、アップデートされた設定情報を当該デバイスに反映させる（ステップ２０６）。
【００８１】
なお、ＵＲＩアドレスが付与されているリストア先のデバイスの設定情報格納部は、リストア先のデバイスに限らず、ネットワーク上であれば任意の場所に設置することができる。
【００８２】
また、アップデートの確認は、設定情報格納部からリストア先のデバイスにアップデートがされたことを通知する方法や、定期的、又は不定期適にリストア先のデバイスから設定情報格納部にアクセスして確認する方法など、任意の方法を用いることができる。
【００８３】
ところで、実施例１及び２では、ユーザ端末からリストア先のデバイスに設定情報を送信しているが、デバイス間で直接設定情報を送受信することも可能であり、以下、実施例を用いて詳細に説明する。
【実施例３】
【００８４】
図６は、本実施例におけるバックアップリストアシステムの構成を示す機能ブロック図である。
【００８５】
同図に示すように、本実施例におけるバックアップリストアシステムは、管理者端末１０にリストアの許可を通知するリストア許可部１２を設け、バックアップ元のデバイス２０に設定情報バックアップ部２３を設けた点を除いて、図２で示したバックアップリストアシステムと同様である。
【００８６】
なお、図２と共通な機能を果たす部分には、図２で使用した符号と同一の符号を付して、その詳細な説明を省略する。
【００８７】
そして、本実施例における管理者端末１０は、バックアップの指示、及びリストア先のデバイスのＵＲＩのアドレスを含んだバックアップ命令をバックアップ命令部１１で作成し、バックアップ元のデバイス２０に送信する。
【００８８】
また、リストア先のデバイスからリストア許可要求を受信すると、リストア許可部１２からリストア許可を通知する。
【００８９】
バックアップ元のデバイス２０は、バックアップ命令を受信すると、バックアップ処理部２１で、少なくともバックアップ時に秘匿が必要な個人の設定情報を設定情報データベース２２から抽出して、設定情報バックアップ部２３に設定情報をユーザ名に関連付けて格納してバックアップし、バックアップされた旨をユーザ端末に通知する。
【００９０】
ユーザ端末３０は、バックアップ元のデバイスのアドレスと、ユーザ名を含んだメール（リストア命令）をリストア命令部３２で作成し、リストア先のデバイス４０に送信する。
【００９１】
リストア先のデバイス４０は、リストア命令を受信すると、リストア処理部４１で、バックアップ元のデバイスに設定情報の送信要求を送信して設定情報を取得し、設定情報データベース４２に設定情報を格納して、設定情報をデバイスに反映させてリストアを行う。
【００９２】
また、設定情報を受信した後、リストアに管理者権限が必要な場合は、管理者端末にリストアの許可要求を送信し、リストア許可通知を受信した後にリストアを実行する。
【００９３】
上記構成を用いて本実施例におけるバックアップリストアシステムでは、まず、バックアップ命令を管理者端末からバックアップ元のデバイスに送信する。
【００９４】
バックアップ元のデバイスは、各ユーザの設定情報をリストア先のデバイスのアドレスと共に該ユーザのユーザ端末に送信し、該ユーザ端末で設定情報を格納してバックアップする。
【００９５】
次に、ユーザ端末は、バックアップ元のデバイスのアドレスと共に、リストア命令をリストア先のデバイスに送信し、リストア先のデバイスは、バックアップ元のデバイスから設定情報を取得すると共に、必要に応じて管理者端末からリストア許可通知（管理者権限）を得てリストアする。
【００９６】
図７は、本実施例におけるバックアップリストアシステムの処理の流れを示すフローチャートである。
【００９７】
まず、管理者端末で設定情報のバックアップを指示するバックアップ命令を作成する（ステップ３００）と、バックアップ命令をバックアップ元のデバイスに送信する（ステップ３０１）。
【００９８】
次に、バックアップ元のデバイスは、設定情報を設定情報データベースから抽出し（ステップ３０２）、設定情報をユーザ名に関連付けてバックアップし（ステップ３０３）、ユーザ毎にバックアップをした旨を通知するメールをユーザ端末に送信する（ステップ３０４）。
【００９９】
ユーザ端末は、バックアップ元のデバイスのアドレス、及びユーザ名を含んだメール（リストア命令）を作成し（ステップ３０５）、リストア先のデバイスにリストア命令を送信する（ステップ３０６）。
【０１００】
リストア先のデバイスは、ユーザ名を指定して、当該ユーザの設定情報を要求する設定情報要求を作成し（ステップ３０７）、設定情報要求をバックアップ元のデバイスに送信する（ステップ３０８）。
【０１０１】
バックアップ元のデバイスは、バックアップデータから指定されたユーザの設定情報を検索・抽出し（ステップ３０９）、当該設定情報をリストア先のデバイスに送信する（ステップ３１０）。
【０１０２】
リストア先のデバイスは、リストアに管理者権限が必要か否かの判断を行い（ステップ３１１）、管理者権限は必要ないと判断する（ステップ３１１でＮＯ）と、リストアを実行する（ステップ３１２）。
【０１０３】
一方、リストアに管理者権限が必要であると判断する（ステップ３１１でＹＥＳ）と、リストアの許可を要求するリストア許可要求を管理者端末に送信する（ステップ３１４）。
【０１０４】
管理者端末は、リストアの許可を確認した後、リストアを許可するリストア許可をリストア先のデバイスに送信し（ステップ３１４）、リストア先のデバイスは、リストアを実行する（ステップ３１２）。
【０１０５】
なお、本実施例では、ユーザ端末からリストア先のデバイスにメールを用いてリストアの実行を指示しているが、例えば、リストア先のデバイスのアドレスがＵＲＩの場合は、ＵＲＩのアドレスにアクセスし、バックアップ元のデバイスのアドレス、及びユーザ名をアップロードするように構成してもよい。
【０１０６】
このように本実施例では、バックアップ元のデバイスで設定情報をバックアップするため、ユーザ端末が十分な記憶容量を備えていない場合であっても、設定情報のバックアップを行なうことができる。
【０１０７】
また、デバイスとユーザ端末の間で設定情報が送受信されないため、設定情報の情報量が大量の場合であっても、ユーザ端末の負担を抑えながらバックアップを行うことができる。
【図面の簡単な説明】
【０１０８】
【図１】本発明に係るバックアップリストアシステムの構成の一例を示す概略概念図である。
【図２】実施例１におけるバックアップリストアシステムの構成を示す機能ブロック図である。
【図３】実施例１におけるバックアップリストアシステムの処理の流れを示すフローチャートである。
【図４】実施例２におけるバックアップリストアシステムの構成を示す機能ブロック図である。
【図５】実施例２におけるバックアップリストアシステムの処理の流れを示すフローチャートである。
【図６】実施例３におけるバックアップリストアシステムの構成を示す機能ブロック図である。
【図７】実施例３におけるバックアップリストアシステムの処理の流れを示すフローチャートである。
【符号の説明】
【０１０９】
１０…管理者端末
１１…バックアップ命令部
１２…リストア許可部
２０…バックアップ元のデバイス
２１…バックアップ処理部
２２…設定情報データベース
２３…設定情報バックアップ部
３０…ユーザ端末
３１…設定情報バックアップ部
３２…リストア命令部
４０…リストア先のデバイス
４１…リストア処理部
４２…設定情報データベース
４３…設定情報格納部
５０…ネットワーク
【図１】
2007086997.tif 000003
【図２】
2007086997.tif 000004
【図３】
2007086997.tif 000005
【図４】
2007086997.tif 000006
【図５】
2007086997.tif 000007
【図６】
2007086997.tif 000008
【図７】
2007086997.tif 000009